(57)【要約】【課題】  感光材料の幅方向（主走査方向）において発色濃度のムラが生じず、しかも適切な階調で画像データを感光材料に形成できる写真処理装置及びセットアッププリント作成方法を提供する。【解決手段】  本発明は、セットアッププリントに形成されたセットアップ画像から、所定ステップのグラデーション濃度の測定と、前記セットアッププリントの幅方向における発色濃度の測定とを測定可能に構成されてなる測色手段と、該測色手段の測定結果に基づき、所望の階調が表現されるように、且つ、感光材料の幅方向において発色濃度のムラが生じないようにプリントするためのプリントエンジンの調整データを作成する調整データ作成手段とを備え、前記調整データに従って前記プリントエンジンをセットアップすることを特徴とする。【選択図】  図３
2006091248.tif 000002
【特許請求の範囲】
【請求項１】
セットアッププリントに形成されたセットアップ画像から、所定ステップのグラデーション濃度の測定と、前記セットアッププリントの幅方向における発色濃度の測定とを測定可能に構成されてなる測色手段と、
該測色手段の測定結果に基づき、所望の階調が表現されるように、且つ、感光材料の幅方向において発色濃度のムラが生じないようにプリントするためのプリントエンジンの調整データを作成する調整データ作成手段とを備え、
前記調整データに従って前記プリントエンジンをセットアップすることを特徴とする写真処理装置。
【請求項２】
前記測色手段は、複数枚のセットアッププリントに形成されたセットアップ画像について前記測定を行い、前記調整データ作成手段は、前記測色手段によるそれぞれの測定結果を統合することによって前記調整データを作成することを特徴とする請求項１に記載の写真処理装置。
【請求項３】
感光材料の幅方向に同一画像データからなる帯を形成する帯形成ステップと、
前記感光材料の幅方向と直交する方向に所定ステップのグラデーションを形成するグラデーション形成ステップと、を備えることを特徴とするセットアッププリント作成方法。
【発明の詳細な説明】
【技術分野】
【０００１】
本発明は、感光材料にセットアップ画像を形成したセットアッププリントを使用してプリントエンジンのセットアップを行う写真処理装置及びそのセットアッププリントの作成方法に関する。
【背景技術】
【０００２】
通常、写真処理装置においては、感光材料に画像を露光（形成）した場合に、適切な発色が得られるように、定期的（あるいは適宜）に、露光装置等のプリントエンジンを調整する、いわゆるセットアップが行われている。
【０００３】
上記セットアップは、先ず、図６に示すようなセットアッププリントを作成し、出力する。このセットアップ用プリントには、その幅方向（主走査方向）にグラデーションステップ（色データの０〜２５５の階調に対応する画像を段階的に（例えば、２２ステップ）で表したもの）が形成されている。
【０００４】
そして、この形成されたグラデーションステップを測色装置により測定し、その測定した濃度値等から適正にプリントされているか（所望の階調が表現されているか）否かを判定し、適正でない場合には、それを適正なものに補正すべく、プリントエンジンの調整データ（画像データに対する発光強度や露光時間等の情報からなるデータ）の書き換え等を行い、かかる調整データに従って、再プリントを行う。以上の処理は、プリントが適正と判定されるまで繰り返される。
【発明の開示】
【発明が解決しようとする課題】
【０００５】
ところで、写真処理装置では、その内部における様々な変動要因（例えば、装置構成部品の経時変化や現像処理液の状態等）が、感光材料に形成される画像の発色状態に影響を与え、特に、その弊害として、感光材料の幅方向（主走査方向ともいえる）に濃度ムラを発生させてしまう場合がある。
【０００６】
これに対し、上記従来のセットアップは、かかる濃度ムラの調整を目的とするものでない。また、セットアップとは別に、同一濃度のデータに対してプリントエンジンの各発光素子の露光の均一化を維持するための調整、いわゆるユニフォミティ調整があるが、かかるユニフォミティ調整は、光センサ等を使用して、各発光素子の発光強度等を計測し、これに基づきプリントエンジンを調整するものである。したがって、かかる調整を行っても、例えば、現像処理液の状態等の変動要因による濃度ムラを解消することはできない。
【０００７】
また、このような濃度ムラが生じることに起因して、上記従来のセットアッププリントでは、その幅方向（主走査方向）にグラデーションステップを形成せざるを得ず、これはある意味、感光材料を無駄に消費していることにもなっていた。
【０００８】
本発明は、上記従来の問題を解決するものであり、感光材料の幅方向において発色濃度のムラが生じず、しかも適切な階調で画像データを形成できる写真処理装置を提供することを第１の目的とする。
【０００９】
また、本発明は、感光材料の消費を低減させることのできるセットアッププリント作成方法を提供することを第２の目的とする。
【課題を解決するための手段】
【００１０】
本発明に係る写真処理装置は、セットアッププリントに形成されたセットアップ画像から、所定ステップのグラデーション濃度の測定と、前記セットアッププリントの幅方向における発色濃度の測定とを測定可能に構成されてなる測色手段と、該測色手段の測定結果に基づき、所望の階調が表現されるように、且つ、感光材料の幅方向において発色濃度のムラが生じないようにプリントするためのプリントエンジンの調整データを作成する調整データ作成手段とを備え、前記調整データに従って前記プリントエンジンをセットアップすることを特徴とする。
【００１１】
上記構成の写真処理装置において、調整データ作成手段が作成する調整データは、具体的には、入力される画像データに対応する発光強度や露光時間等の前記プリントエンジンの出力（露光）条件に係るデータである。調整データ作成手段は、かかる調整データの作成において、測色手段によるセットアッププリントの幅方向における発色濃度の測定結果に基づく情報も加味する。具体的には、当該測定結果から幅方向（主走査方向ともいえる）における濃度ムラを検出し、それを吸収するような補正データ（ユニフォミティ補正データ）を作成し、これを調整データに反映させる。したがって、上記構成の写真処理装置によれば、このように作成された調整データに基づいて、プリントエンジンのセットアップをすることで、適切な階調表現はもとより、感光材料の幅方向に濃度ムラが生じる現象を防止することも可能になる。
【００１２】
また、上記セットアッププリントとして、感光材料の幅方向に同一画像データからなる帯を形成する帯形成ステップと、前記感光材料の幅方向と直交する方向に所定ステップのグラデーションを形成するグラデーション形成ステップによって作成されたセットアッププリントを使用すると、幅が広い（搬送方向に直交する方向が長い）感光材料でセットアッププリントを作成する際に、従来に比べその使用量を低減できる。
【００１３】
また、前記測色手段は、複数枚のセットアッププリントに形成されたセットアップ画像について前記測定を行い、前記調整データ作成手段は、前記測色手段によるそれぞれの測定結果を統合することによって前記調整データを作成する構成としてもよい。
【００１４】
上記構成とすれば、幅の狭い感光材料を使用する場合にも本発明を適用することが可能となる。具体的には、使用するレーン数（例えば左、中央、右の３レーン）分のセットアッププリントを作成し、それぞれのセットアップ画像について測色手段を用いて測定を行う。調整データ作成手段は、それぞれ（例えば左、中央、右の３レーンに対応するセットアップ画像）の測定結果を統合し、調整データを作成する。尚、この場合、全てのセットアッププリントにグラデーションステップを形成させる必要はなく、少なくとも１つに形成しておけばよい。
【発明の効果】
【００１５】
以上の如く、本発明の写真処理装置によれば、感光材料の幅方向において発色濃度のムラが生じず、しかも適切な階調で画像データを感光材料に形成できるため、プリント品質向上が図れる。
【００１６】
また、本発明のセットアッププリント作成方法によってセットアッププリントを作成することで、使用する感光材料の量を減らすことができる。
【発明を実施するための最良の形態】
【００１７】
以下、本発明の実施形態に係る写真処理装置及びセットアッププリント作成方法について図面を参酌しつつ説明する。
【００１８】
図１は、本実施形態に係る写真処理装置の外観図であり、図２は該写真処理装置の内部構成を示すブロック図である。本写真処理装置は、顧客が持ち込んだ写真フィルムＦやメディアＭから画像データを読み込み、場合に応じて各種補正やトリミング等のデジタル画像処理を施して出力用の画像データを生成する画像処理装置１と、該画像処理装置１から出力された画像データを基に、感光材料ＰＡに画像をプリントするプリント装置２とで構成されている。
【００１９】
画像処理装置１は、ネガフィルムやポジフィルム等の写真フィルムＦから画像を読み取るスキャナ３と、ＣＤ−ＲＯＭやメモリカード等のメディアＭに保存されている画像データを読み込むメディアドライブ４と、画像処理装置１の制御を含む本写真処理装置全体を制御する主制御装置５と、写真フィルムＦやメディアＭから読み込んだ画像を表示するモニタ６と、オペレータ（店員等や顧客）からの操作指令を受け付ける入力装置７（キーボード７ａ及びマウス７ｂ）と、後述するセットアッププリントを挿入し、該セットアッププリントに形成されたセットアップ画像の濃度を測定する測色装置８を備えている。尚、本実施形態において、測色装置８は、測色手段を構成する。
【００２０】
主制御装置５は、当該制御、演算の主体であるＣＰＵ９、ＧＵＩ（グラフィカル・ユーザ・インタフェース）用のプログラム等が記憶されるＲＯＭ１０ａ、処理用のワークエリア等として使用されるＲＡＭ１０ｂ及び各種外部装置（スキャナ３、メディアドライブ４、モニタ６、入力装置７及び測色装置８）とのＩ／Ｏ処理を行うＩ／Ｏ処理部１１をその内部に備えている。
【００２１】
プリント装置２は、画像処理装置１によって画像処理された画像データを基に感光材料ＰＡに対して露光処理する露光処理部１２と、露光処理された感光材料ＰＡを現像処理する現像処理部１３と、現像処理された感光材料ＰＡを乾燥処理する乾燥処理部１４と、乾燥処理されて写真となった感光材料ＰＡを仕分処理する仕分処理部１５とで構成されている。
【００２２】
露光処理部１２は、感光材料ＰＡを一対のマガジン１６ａ、１６ｂから引き出し、搬送用ローラ対１７によって下流側に搬送する。そして、ハロゲンランプ等からなる光源１８ａと、該光源１８ａに光ファイバー束１８ｂを介して接続された光シャッター１８ｃとで構成されるＰＬＺＴ方式の露光装置１８（プリントエンジン）によって、感光材料ＰＡを露光する。尚、露光装置１８は、ＰＬＺＴ方式に限らず、例えば、レーザー方式やＣＲＴ方式等であっても構わない。
【００２３】
現像処理部１３は、感光材料ＰＡに対して、現像、漂白、定着、安定化等の処理を行う。
【００２４】
乾燥処理部１４は、現像処理部１３から送られてくる感光材料ＰＡに熱風装置１９からの熱風を吹き付け、感光材料ＰＡを乾燥させる処理を行う。
【００２５】
仕分処理部１５は、露光処理、現像処理及び乾燥処理が施された感光材料ＰＡを大小別に仕分けるサイズ仕分部２０と、該サイズ仕分部２０で仕分けされた小さなサイズの感光材料ＰＡをオーダ毎に仕分けるオーダ仕分部２１を有している。
【００２６】
サイズ仕分部２０は、大きなサイズの感光材料ＰＡをトレー２２に排出し、小さなサイズの感光材料ＰＡをコンベア２３に搬送する。オーダ仕分部２１は、コンベア２３によって搬送されてくる感光材料ＰＡを各受皿２４に対してオーダ毎に振り分ける。
【００２７】
以上の構成からなる本実施形態の写真処理装置は、定期的（例えば、毎日の始動時）にセットアップを行い入力画像データが所望の濃度で感光材料にプリントされるように調整を行っている。
【００２８】
以下、本実施形態のセットアップについて説明する。
【００２９】
先ず、始動時において、主制御装置５は、図示しないハードディスク等の補助記憶装置から現在の調整データ（具体的には、入力される画像データに対する露光装置１８の発光強度や露光時間等のデータの集合体（ＬＵＴ：ルックアップテーブル）となる。）を読み込み、ＲＡＭ１０ｂに展開する。そして、かかる調整データに従って露光装置１８を制御し、所定のセットアップ画像データを基に感光材料ＰＡを露光する。
【００３０】
そして、上記露光の結果、図３に示すようなセットアッププリント３１が出力される。セットアッププリント３１には、その幅方向（主走査方向）にそれぞれ濃度が異なる３つの単色（濃いグレー、中間のグレー、薄いグレー）の帯からなる組が、その前後に形成されている。また、それらに挟み込まれるように２２ステップからなるグラデーションステップが主走査方向と直交する方向に形成されている。
【００３１】
続いて、かかるセットアッププリント３１を測色装置８に挿入し、グラデーションステップの測定及び３つの単色帯の測定を行う。ここで、単色帯については、前後の何れかの組のみを測定してもよし、両方の組を測定してもよい。また、測色装置８は、セットアッププリント３１の１回の挿入で、グラデーションステップの測定及び３つの単色帯の測定を同時にできる構成としてもよいし、挿入方向を変えることで両者の測定を可能にする構成であってもよい。
【００３２】
主制御装置５（調整データ作成手段）は、現調整データと上記グラデーションステップの測定結果を基にして、新しい調整データの作成（調整データの更新ともいえる。）を行う。この点に関しては従来と同様である。本発明の特徴は、上記単色帯の測定結果から、主走査方向における濃度ムラを検出し、それを吸収するような補正データ（ユニフォミティ補正データ）を作成し、これを調整データに反映させることにある。以下、かかる特徴について説明する。
【００３３】
主制御装置５は、測色装置８で測定された１つの単色帯における複数のポイントデータ（図４の（イ））を基に、それらが滑らかに結ばれるような多項（例えば６次）近似式を求める（図４の（ロ））。そして、かかる近似式に基づく曲線を反転させ（図４の（ハ）のＡ）、それに所定の補正率を乗じたものが（図４の（ハ）のＢ）、ユニフォミティ補正データとなる。
【００３４】
そして、主制御装置５は、先の調整データにかかるユニフォミティ補正データを反映させる。その際、グラデーションの各ステップ毎に、それに近い濃度の単色帯（濃いグレー、中間のグレー、薄いグレー）のユニフォミティ補正データが使用される。
【００３５】
以上の調整データは各色（ＲＧＢ）毎に作成され、それに基づいてセットアップが行われる。
【００３６】
以上のように本発明の本実施形態に係る写真処理装置によれば、ユニフォミティ補正データを加味した調整データに従い露光装置（プリントエンジン）をセットアップするので、感光材料の主走査方向において発色濃度のムラが発生しない高品質のプリントを提供することができる。
【００３７】
また、本発明の本実施形態に係るセットアッププリント作成方法によれば、主走査方向と直交する方向にグラデーションステップを形成できるので、従来に比べ感光材料の使用量を減らすことができる。
【００３８】
尚、本発明は、上記実施形態に限定されることはなく、本発明の要旨を逸脱しない範囲で種々の変更が可能である。
【００３９】
例えば、上記実施形態のセットアッププリント３１には、３つの単色帯の組が前後に形成されていたが、何れか１つの組のみが形成されるようにしてもよい。また、単色帯の濃度種類は３つ（濃いグレー、中間のグレー、薄いグレー）に限定されず、例えば、中間のグレー１つのみの形成であっても構わない。
【００４０】
また、単色帯とグラデーションステップは、必ずしも同一のセットアッププリントに形成する必要はなく、それぞれ別々に形成してもよい。
【００４１】
また、単色帯はグレーに限定せず、例えば、Ｒ，Ｇ，Ｂと補色関係にある、Ｃ（シアン），Ｍ（マゼンダ），Ｙ（イエロー）の帯を形成してもよい。
【００４２】
また、上記実施形態では、主として幅の広い感光材料を想定していたが、幅の狭い感光材料を使用する場合でも本発明の適用は可能である。具体的には、使用するレーン数（例えば左端、中央、右端の３レーン）分のセットアッププリントを作成し、それぞれのセットアップ画像について測定装置を用いて測定を行い、主制御装置（調整データ作成手段）は、それぞれレーンに対応したセットアップ画像の測定結果を統合し、調整データを作成する。図５は、３レーン分のセットアッププリント５１Ａ，５１Ｂ，５１Ｃを作成する場合の一例を示している。尚、この例では、左端のレーンに対応するセットアッププリントのみにグラデーションステップが形成されているが、中央あるいは左端のレーン対応するセットアッププリントのみにグラデーションステップが形成されていてもよい。
【図面の簡単な説明】
【００４３】
【図１】本発明の一実施形態に係る写真処理装置の外観図である。
【図２】同実施形態に係る写真処理装置の概略構成図である。
【図３】同実施形態において、セットアッププリントの一例を示す図である。
【図４】同実施形態において、ユニフォミティ補正データの作成過程を説明するための図である。
【図５】本発明の他の実施形態において、セットアッププリントの一例を示す図である。
【図６】従来のセットアッププリントの一例を示す図である。
【符号の説明】
【００４４】
１…画像処理装置、２…プリント装置、３…スキャナ、４…メディアドライブ、５…主制御装置、６…モニタ、７…入力装置、８…測色装置、９…ＣＰＵ、１０ａ…ＲＯＭ、１０ｂ…ＲＡＭ、１１…Ｉ／Ｏ処理部、１２…露光処理部、１３…現像処理部、１４…乾燥処理部、１５…仕分処理部、１６ａ，１６ｂ…マガジン、１７…搬送用ローラ対、１８…露光装置、１８ａ…光源、１８ｂ…光ファイバー束、１８ｃ…光シャッター、１９…熱風装置、２０…サイズ仕分部、２１…オーダ仕分部、２２…トレー、２３…コンベア、２４…受皿、３１…セットアッププリント
【図１】
2006091248.tif 000003
【図２】
2006091248.tif 000004
【図３】
2006091248.tif 000005
【図４】
2006091248.tif 000006
【図５】
2006091248.tif 000007
【図６】
2006091248.tif 000008